(57)【要約】【課題】ユーザによる電池カバー取り付け不備を許容できるようにする。【解決手段】電池カバー５０は、操作部側筐体３０の電池収納部５１に設けられた嵌合穴７に嵌め込んで固定するための嵌合爪１を含む。嵌合爪１は、電池カバー５０の面に対して斜め方向に突起するように形成される。また、嵌合爪１は、電池カバー５０の面に対して先端部分を斜めに削り取った面取り形状部４を含む。また、嵌合爪１は、突起部１ａと電池カバー５０の面との間に、嵌合爪１を支持して強度を補強するための補強リブ３を含む。この場合、嵌合爪１が浮いている状態でユーザが電池カバー５０を指等で押さえつけてしまったとしても、面取り形状部４が掛止部７ａに対して摺動することによって、嵌合穴７に嵌め込まれやすくなり、嵌合爪１の破損を防止することができる。また、補強リブ３が設けられていることによって、嵌合爪１の破損を防止することができる。【選択図】図７
2007213870.tif 000002
【特許請求の範囲】
【請求項１】
携帯電子機器の筐体部に設けられた電池収納部に電池カバーを取り付ける電池カバー取付構造であって、
前記電池カバーは、当該電池カバーの面に対して斜め方向に突起させた突起部が形成され、
前記電池収納部は、前記電池カバーを取り付けた状態で、前記突起部を嵌め込むための穴である嵌合穴が形成され、
前記嵌合穴は、前記電池カバーを前記電池収納部に取り付けた状態で、前記突起部と略平行となる向きに形成され、
前記突起部は、前記電池カバーの面に対して当該突起部の先端部を斜めに削り取った面取り形状部が形成されている
ことを特徴とする電池カバー取付構造。
【請求項２】
電池カバーは、突起部と当該電池カバーの面との間に、前記突起部を支持する支持部が形成されている請求項１記載の電池カバー取付構造。
【請求項３】
電池収納部は、電池カバーを取り付けた状態で、支持部を嵌め込むための溝部が形成されている請求項２記載の電池カバー取付構造。
【請求項４】
筐体部に電池を収納する電池収納部が設けられ、前記電池収納部に取り付けられる電池カバーを備えた携帯電子機器であって、
前記電池カバーは、当該電池カバーの面に対して斜め方向に突起させた突起部が形成され、
前記電池収納部は、前記電池カバーを取り付けた状態で、前記突起部を嵌め込むための穴である嵌合穴が形成され、
前記嵌合穴は、前記電池カバーを前記電池収納部に取り付けた状態で、前記突起部と略平行となる向きに形成され、
前記突起部は、前記電池カバーの面に対して当該突起部の先端部を斜めに削り取った面取り形状部が形成されている
ことを特徴とする携帯電子機器。
【請求項５】
電池カバーは、突起部と当該電池カバーの面との間に、前記突起部を支持する支持部が形成されている請求項４記載の携帯電子機器。
【請求項６】
電池収納部は、電池カバーを取り付けた状態で、支持部を嵌め込むための溝部が形成されている請求項５記載の携帯電子機器。
【請求項７】
携帯電話機である請求項４から請求項６のうちのいずれか１項に記載の携帯電子機器。
【請求項８】
携帯電子機器の筐体部に設けられた電池収納部に取り付けられる電池カバーであって、
当該電池カバーの面に対して斜め方向に突起させた突起部が形成され、
前記突起部は、前記電池カバーの面に対して当該突起部の先端部を斜めに削り取った面取り形状部が形成されている
ことを特徴とする携帯電子機器の電池カバー。
【発明の詳細な説明】
【技術分野】
【０００１】
本発明は、嵌合部の強度を向上するとともに、ユーザによる電池カバー取り付け不備を許容できる携帯電子機器の電池カバー取付構造に関する。また、本発明は、電池カバー取付構造を備えた携帯電子機器及び電池カバーに関する。
【背景技術】
【０００２】
携帯電話機等の携帯電子機器に対する電池の収納構造として、例えば、特許文献１には、携帯電子機器のケースに形成した電池収納部に電池を収納し、電池の外側を電池カバーにより覆う構造が記載されている。
【０００３】
【特許文献１】特開平１１−２５９４０号公報（段落０００８−００１４、図１−２）
【発明の開示】
【発明が解決しようとする課題】
【０００４】
特許文献１に記載されている従来の携帯電話機等の電池収納構造では、充電式電池の固定に用いる電池カバーについて、物理的な強度が要求されるとともに、ユーザによって装着又は取り外し操作が行われる際の設計上の配慮（ユーザビリティや使い勝手の良さ）が要求される。
【０００５】
例えば、従来の電池収納構造では、電池カバー側に複数の嵌合爪を設けるとともに、携帯電子機器の電池収納部側に複数の嵌合穴を設け、それぞれ電池カバー側の嵌合爪を電池収納部側の嵌合穴に嵌め込むことによって、電池カバーを固定することが行われている。しかし、ユーザが電池カバーを嵌め込む際に、嵌合爪が正しく嵌め込まれず、電池収納部から浮いた状態のまま電池カバーが固定されてしまうことがある。そのため、、例えば、ユーザが電池カバーを指等で押さえつけてしまうと、電池収納部から浮いたままの状態で組み込まれている嵌合爪が破損してしまうおそれがある。
【０００６】
そこで、本発明は、ユーザによる電池カバー取り付け不備を許容できる電池カバー取付構造、携帯電子機器及び電池カバーを提供することを目的とする。また、本発明は、嵌合部の強度を物理的に向上できる電池カバー取付構造、携帯電子機器及び電池カバーを提供することを目的とする。
【課題を解決するための手段】
【０００７】
本発明による電池カバー取付構造は、携帯電子機器（例えば、携帯電話機１００）の筐体部（例えば、操作部側筐体３０）に設けられた電池収納部（例えば、電池収納部５１）に電池カバー（例えば、電池カバー５０）を取り付ける電池カバー取付構造であって、電池カバーは、当該電池カバーの面に対して斜め方向に突起させた突起部（例えば、嵌合爪１）が形成され、電池収納部は、電池カバーを取り付けた状態で、突起部を嵌め込むための穴である嵌合穴（例えば、嵌合穴７）が形成され、嵌合穴は、電池カバーを電池収納部に取り付けた状態で、突起部と略平行となる向きに形成され、突起部は、電池カバーの面に対して当該突起部の先端部を斜めに削り取った面取り形状部（例えば、面取り形状部４）が形成されていることを特徴とする。
【０００８】
また、電池カバー取付構造において、電池カバーは、突起部と当該電池カバーの面との間に、突起部を支持する支持部（例えば、補強リブ３）が形成されていてもよい。
【０００９】
また、電池カバー取付構造において、電池収納部は、電池カバーを取り付けた状態で、支持部を嵌め込むための溝部（例えば、ガイド溝８）が形成されていてもよい。
【００１０】
本発明による携帯電子機器は、筐体部に電池を収納する電池収納部が設けられ、電池収納部に取り付けられる電池カバーを備えた携帯電子機器であって、電池カバーは、当該電池カバーの面に対して斜め方向に突起させた突起部が形成され、電池収納部は、電池カバーを取り付けた状態で、突起部を嵌め込むための穴である嵌合穴が形成され、嵌合穴は、電池カバーを電池収納部に取り付けた状態で、突起部と略平行となる向きに形成され、突起部は、電池カバーの面に対して当該突起部の先端部を斜めに削り取った面取り形状部が形成されていることを特徴とする。
【００１１】
また、携帯電子機器において、電池カバーは、突起部と当該電池カバーの面との間に、突起部を支持する支持部が形成されていてもよい。
【００１２】
また、携帯電子機器において、電池収納部は、電池カバーを取り付けた状態で、支持部を嵌め込むための溝部が形成されていてもよい。
【００１３】
また、携帯電子機器は、携帯電話機であってもよい。
【００１４】
本発明による携帯電子機器の電池カバーは、携帯電子機器の筐体部に設けられた電池収納部に取り付けられる電池カバーであって、当該電池カバーの面に対して斜め方向に突起させた突起部が形成され、突起部は、電池カバーの面に対して当該突起部の先端部を斜めに削り取った面取り形状部が形成されていることを特徴とする。
【発明の効果】
【００１５】
本発明によれば、電池カバーは、電池カバーの面に対して斜め方向に突起させた突起部が形成され、突起部は、電池カバーの面に対して先端部を斜めに削り取った面取り形状部が形成されている。そのため、突起部が電池収納部の嵌合穴に正しく嵌め込まれやすくすることができるとともに、例えば、突起部が嵌合穴に正しく嵌め込まれなかった場合であっても、突起部の破損を防止することができる。従って、ユーザによる電池カバー取り付け不備を許容できるようにすることができる。
【００１６】
また、本発明において、突起部と電池カバーの面との間に、突起部を支持する支持部が形成されるように構成すれば、電池カバーを電池取付部に嵌め込んで固定するための嵌合部の強度を物理的に向上させることができる。
【００１７】
また、本発明において、電池収納部に支持部を嵌め込むための溝部が形成されるように構成すれば、電池収納部に電池カバーを取り付けた状態で、支持部と電池収納部とが干渉することを防止することができる。また、支持部と電池収納部とが干渉することを防止できるので、支持部を大型化することができ、嵌合部の強度をさらに向上させることができる。
【発明を実施するための最良の形態】
【００１８】
以下、本発明の実施の形態を図面を参照して説明する。図１は、本発明による電池カバー取付構造を備えた携帯電子機器の一例を示す斜視図である。図１に示すように、本実施の形態では、携帯電子機器が折畳式携帯電話機１００である場合を例に説明する。また、図１は、折畳式携帯電話機１００を開いた状態に相当する。なお、携帯電子機器は、携帯電話機に限らず、例えば、ＰＤＡやＰＨＳ等の携帯端末であってもよい。
【００１９】
図１に示すように、折畳式携帯電話機１００は、表示部２０を含む表示部側筐体１０と、複数のキーボタンを有する操作部４０を含む操作部側筐体３０とを含む。表示部側筐体１０及び操作部側筐体３０は、例えば、合成樹脂等を用いた剛性体によって作製される。また、表示部側筐体１０と操作部側筐体３０とは、開閉軸を有するヒンジ部１１で回動可能に接続されている。なお、「回動」とは、ある軸に対して正逆方向に円運動できることをいう。本実施の形態では、折畳式携帯電話機１００において、ヒンジ部１１を軸として、例えば、表示部側筐体１を操作部側筐体３の側に閉じたり、開いたりすることができる。
【００２０】
また、操作部側筐体３０は、操作部４０が含まれる側の面と対向する側の面に電池収納部を備え、電池（図示せず）を収納した状態で電池カバー５０が取り付けられる。
【００２１】
図２は、携帯電話機１００の構成の例を示すブロック図である。図２に示すように、携帯電話機１００は、電波の送受信を行うアンテナ１１０と、制御部１２１と、記憶部１２２と、無線通信部１２３と、操作部４０と、表示部２０と、カメラユニット（以下、「カメラ」という）１２６と、リンガ発生器１２７と、リンガ駆動部１２８と、音声出力用のスピーカ１２９と、音声入力用のマイクロフォン１３０とを備えている。
【００２２】
制御部１２１は、例えばＣＰＵ（中央処理装置）と、図示しない各種の周辺回路とで構成され、携帯電話機１００が備える各部の制御を行う機能を有する。
【００２３】
記憶部１２２は、例えばＲＡＭ等の記憶媒体によって構成され、制御部１２１が実行する制御プログラム等の各種のデータが格納される。なお、記憶部１２２の一部がＲＯＭによって構成されていてもよく、ＲＯＭ部分に制御プログラムが格納されていてもよい。
【００２４】
無線通信部１２３は、所定の通信プロトコルに従って信号の変復調を行う機能を有する。具体的には、無線通信部１２３は、無線信号を、アンテナ１１０を介して受信して復調する処理を行う。また、無線通信部１２３は、制御部１２１から出力された信号を変調し、アンテナ１１０を介して無線信号を送信する処理を行う。
【００２５】
操作部４０は、例えば、電話番号の入力等を行うためのキーボタンによって構成される。操作部４０は、ユーザの操作に応じた入力信号を制御部１２１に出力する機能を有する。
【００２６】
表示部２０は、例えばＬＣＤ（Liquid Crystal Display：液晶表示装置）によって構成され、携帯電話機１００の折畳時に筐体の内側となる位置に配設される。表示部２０には、例えば待ち受け画面や機能設定画面等が表示される。
【００２７】
カメラ１２６は、例えばディジタルカメラが備える各種の機能を有し、被写体を撮像するＣＣＤ等の撮像素子や、撮像によって得た画像データを制御部１２１に出力する回路等を備えている。
【００２８】
リンガ駆動部１２８は、制御部１２１の制御に従ってリンガ発生器１２７に駆動信号を出力する機能を有する。
【００２９】
リンガ発生器１２７は、リンガ駆動部１２８からの駆動信号に従って、着信音を出力する機能を有する。
【００３０】
次に、電池カバー５０の構造について説明する。図３及び図４は、電池カバー５０の構造を示す斜視図である。本実施の形態では、電池カバー５０の各面のうち、電池カバー５０を操作部側筐体３０の電池収納部に取り付けた状態で、外部から視認できる側の面を表面といい、外部から視認できない側の面（収納された電池と面する側の面）を裏面という。
【００３１】
図３（ａ）は、電池カバー５０を表面側から見た斜視図に相当し、図３（ｂ）は、電池カバー５０を裏面側から見た斜視図に相当する。また、図４は、図３（ｂ）とは異なる角度で電池カバー５０を裏面側から見た斜視図に相当する。
【００３２】
図３及び図４に示すように、本実施の形態において、電池カバー５０は、略板状に形成されている。また、電池カバー５０は、４辺のうちの長手方向に対して直交する１つの辺の側に、操作部側筐体３０の電池収納部に設けられた嵌合穴に嵌め込んで固定するためのメイン嵌合爪９を含む。また、電池カバー５０は、メイン嵌合爪９を含む側の辺と対抗する辺の側に、操作部側筐体３０の電池収納部に設けられた嵌合穴に嵌め込んで固定するための４つの嵌合爪１を含む。なお、「嵌合」とは、形状が合った物を嵌め合わせることである。
【００３３】
また、電池カバー５０は、４辺のうちの長手方向に対して平行するそれぞれの辺の側に、操作部側筐体３０の電池収納部に設けられた嵌合穴（後述するキャッチ６）に嵌め込んで固定するためのフック２を含む。
【００３４】
なお、本実施の形態では、電池カバー５０が４つの嵌合爪１を含む場合を説明するが、電池カバー５０は、２つ又は３つの嵌合爪１を含んでもよく、５以上の嵌合爪１を含んでもよい。また、電池カバー５０は、嵌合爪１を１つだけ含むものであってもよい。
【００３５】
また、電池カバー５０は、フック２を含まず、嵌合爪１及びメイン嵌合爪９だけによって、操作部側筐体３０の電池収納部に固定されるものであってもよい。なお、嵌合爪１及びメイン嵌合爪９に加えて、フック２をキャッチ６に嵌め込んで固定するようにすれば、電池カバー５０と電池収納部との嵌合の信頼性をより高めることができる。
【００３６】
次に、嵌合爪１の構造について説明する。図５は、電池カバー５０のうち、各嵌合爪１を含む部分を拡大して示した説明図である。さらに、図６は、嵌合爪１のうちの１つを拡大して示した説明図である。また、図７は、電池カバー５０の嵌合爪１を含む部分を、電池カバー５０の長手方向に平行な面で切断した断面図である。図７は、図５に示すＡ−Ａ面で電池カバー５０を切断した断面図に相当する。また、図８は、従来の携帯電子機器が備える電池カバー９５０の嵌合爪９１を含む部分を、電池カバー９５０の長手方向に平行な面で切断した断面図である。
【００３７】
まず、説明を分かりやすくするために、従来の携帯電子機器が備える電池カバー９５０の嵌合爪９１の構造を説明する。図８に示すように、従来の携帯電子機器において、電池カバー９５０の面に対して斜め方向（図８に示すＹ方向）に突起するように突起形状９１ａが形成されることによって、嵌合爪９１が形成されている。そして、嵌合爪９１が携帯電子機器の電池収納部の嵌合穴に嵌め込まれることによって、電池カバー９５０が電池収納部に固定される。
【００３８】
本実施の形態では、従来の携帯電子機器と同様に、電池カバー５０の面に対して斜め方向（図７に示すＸ方向）に突起するように突起形状１ａが形成されることによって、嵌合爪１が形成されている。本実施の形態では、図６及び図７に示すように、嵌合爪１は、電池カバー５０の面に対して先端部分を斜めに削り取った面取り形状部４を含む点で、従来の携帯電子機器の嵌合爪９１と異なる。なお、本実施の形態では、嵌合爪１に平面状に面取り形状部４を形成する場合を説明するが、例えば、面取り形状部４を丸みを帯びた形状に形成してもよい。
【００３９】
また、本実施の形態では、図６及び図７に示すように、嵌合爪１は、突起部１ａと電池カバー５０の面との間に、嵌合爪１を支持して強度を補強するための補強リブ３を含む点で、従来の携帯電子機器の嵌合爪９１と異なる。
【００４０】
次に、操作部側筐体３０の電池収納部の構造について説明する。図９は、操作部側筐体３０の電池収納部５１の構造を示す斜視図である。図９は、操作部側筐体３０の電池収納部５１を表面側（電池及び電池カバー５０を取り付けた状態で電池カバー５０と面する側）から見た斜視図に相当する。
【００４１】
図９に示すように、操作部側筐体３０の電池収納部５１は、各嵌合爪１を嵌め込むための４つの嵌合穴７を含む。また、電池収納部５１は、各フック２を嵌め込むための２つのキャッチ６を含む。また、電池収納部５１は、メイン嵌合爪９を嵌め込むためのメイン嵌合穴５を含む。
【００４２】
次に、嵌合穴７の構造について説明する。図１０は、操作部側筐体３０の電池収納部５１１の嵌合穴７を含む部分を、操作部側筐体３０の長手方向に平行な面で切断した断面図である。図１０は、図９に示すＢ−Ｂ面で電池収納部５１を切断した断面図に相当する。
【００４３】
図１０に示すように、本実施の形態では、操作部側筐体３０の電池収納部５１の面に対して斜め方向（図１０に示すＳ方向）に嵌合穴７が形成されている。すなわち、本実施の形態では、嵌合穴７は、電池カバー５０を電池収納部５１に取り付けた状態で、嵌合爪１と略平行となるように斜め方向に形成されている。
【００４４】
また、嵌合穴７が電池収納部５１の面に対して斜め方向に形成されていることによって、電池収納部５１の面と嵌合穴７との間に掛止部７ａが形成されている。なお、「掛止」とは、引っ掛けて止めることをいう。すなわち、本実施の形態では、嵌合爪１が嵌合穴７に嵌め込まれることによって、嵌合爪１が掛止部７ａで引っ掛かった状態で固定される。
【００４５】
次に、操作部側筐体３０の電池収納部５１に電池カバー５０を取り付ける取付手順について説明する。図１１は、電池収納部５１に電池カバー５０を取り付ける取付手順を示す説明図である。なお、電池収納部５１に電池カバー５０を取り付ける場合、電池収納部５１に電池を収納した上で電池カバー５０の取り付けを行うが、図１１では電池を記載省略している。
【００４６】
図１１に示すように、電池収納部５１に電池カバー５０を取り付ける場合、電池カバー５０を操作部側筐体３０の電池収納部５１に面するように接触させ、操作部側筐体３０の長手方向（図１０に示すＺ方向）に対してスライドさせるように動かす。すると、メイン嵌合爪９がメイン嵌合穴５に嵌め込まれ、各フック２がそれぞれキャッチ６に嵌め込まれ、各嵌合爪１がそれぞれ嵌合穴７に嵌め込まれて、電池カバー５０が電池収納部５１に固定される。
【００４７】
一般に、電池収納部に電池カバーを取り付ける場合、電池カバーに設けられている嵌合爪のうち、電池カバーをスライドする方向の側に設けられている嵌合爪は、電池収納部の嵌合穴に正しく嵌め込まれることが多い。例えば、図１１に示す例では、スライドする方向の側に設けられているメイン嵌合爪９は、電池収納部５１のメイン嵌合穴５に正しく嵌め込まれることが多い。一方、スライドする方向とは反対側に設けられている嵌合爪は、電池収納部の嵌合穴に正しく嵌め込まれず、電池収納部から浮いた状態となってしまうことがある。例えば、図１１に示す例では、スライドする方向とは反対側に設けられている各嵌合爪１は、電池収納部５１の嵌合穴７に正しく嵌め込まれない可能性がある。
【００４８】
図１２は、従来の携帯電子機器において、電池カバーを電池収納部に取り付けた場合の取付状況の例を示す断面図である。従来の携帯電子機器では、図１２（ａ）に示すように、電池カバーをスライドさせて電池収納部に取り付ける場合に、嵌合爪９１の先端部分が引っ掛かる等の原因によって、嵌合爪９１が嵌合穴９７に正しく嵌め込まれないことがある。そのため、図１２（ａ）に示すように、嵌合爪９１が電池収納部から浮いている状態で電池カバーが取り付けられてしまうことがある。
【００４９】
嵌合爪９１が浮いている状態でユーザが電池カバーを指等で押さえつけてしまうと、図１２（ｂ）に示すように、電池カバー面と電池収納部との間に挟まれた状態で嵌合爪９１に圧力がかかり、嵌合爪９１が破損するおそれがある。例えば、図１２（ｂ）に示すように、嵌合爪９１が圧力によって電池カバー９５０の面側に倒れ込み、嵌合爪９１が折れてしまうおそれがある。
【００５０】
本実施の形態では、図６及び図７に示すように、嵌合爪１が先端部分に面取り形状部４を含むので、電池カバー５０をスライドさせて電池収納部５１に取り付ける場合に、嵌合爪１の先端部分が引っ掛かりにくく、嵌合爪１が嵌合穴７に正しく嵌め込まれやすい。すなわち、嵌合爪１に面取り形状部４を設けることによって、嵌合爪１を嵌合穴７に誘導するような形状に形成でき、嵌合爪１が嵌合穴７に正しく嵌め込まれやすくしている。
【００５１】
また、本実施の形態では、例え嵌合爪１が嵌合穴７に正しく嵌め込まれなかったとしても、嵌合爪１の破損を防止することができる。図１３は、電池カバー５０が電池収納部５１に正しく嵌め込まれなかった場合の取付状況の例を示す断面図である。本例では、図１３（ａ）に示すように、電池カバー５０をスライドさせて電池収納部５１に取り付ける場合に、嵌合爪１が嵌合穴７に正しく嵌め込まれず、嵌合爪１が電池収納部５１から浮いた状態で電池カバー５０が取り付けられているものとする。
【００５２】
本実施の形態では、嵌合爪１が浮いている状態でユーザが電池カバー５０を指等で押さえつけてしまったとしても、図１３（ｂ）に示すように、嵌合爪１に設けられた面取り形状部４が掛止部７ａに対して摺動することによって、嵌合穴７に嵌め込まれやすくなる。従って、嵌合爪１が嵌合穴７に正しく嵌め込まれなかったとしても、嵌合爪１の破損を防止することができる。なお、「摺動」とは、接触して摺り動くことをいう。
【００５３】
また、本実施の形態では、嵌合爪１に強度を補強するための補強リブ３が設けられているので、嵌合爪１が浮いている状態でユーザが電池カバー５０を指等で押さえつけてしまったとしても、嵌合爪１の破損を防止することができる。
【００５４】
以上のように、本実施の形態によれば、電池カバー５０は、電池カバー５０の面に対して斜め方向に突起させた嵌合爪１が形成されている。また、嵌合爪１は、電池カバー５０の面に対して先端部分を斜めに削り取った面取り形状部４が形成されている。そのため、電池カバー５０をスライドさせて電池収納部５１に取り付ける場合に、嵌合爪１の先端部分が引っ掛かりにくく、嵌合爪１が嵌合穴７に正しく嵌め込まれやすくすることができ、嵌合爪１の倒れ込み等による破損を防止することができる。
【００５５】
また、本実施の形態によれば、例え嵌合爪１が嵌合穴７に正しく嵌め込まれなかったとしても、電池カバー５０が指等で押された場合に、嵌合爪１に設けられた面取り形状部４が掛止部７ａに対して摺動することによって、嵌合穴７に嵌め込まれやすくなる。そのため、嵌合爪１が嵌合穴７に正しく嵌め込まれなかったとしても、嵌合爪１の破損を防止することができる。従って、ユーザによる電池カバー取り付け不備を許容できるようにすることができる。
【００５６】
また、本実施の形態によれば、嵌合爪１に強度を補強するための補強リブ３が設けられているので、嵌合爪１が浮いている状態でユーザが電池カバー５０を指等で押さえつけてしまったとしても、嵌合爪１の破損を防止することができる。従って、嵌合部の強度を物理的に向上できるとともに、ユーザによる電池カバー取り付け不備を許容できるようにすることができる。
【００５７】
なお、本実施の形態では、嵌合爪１の破損を防止するだけでなく、操作部側筐体３０側の破損も防止している。例えば、図１３に示すように、操作部側筐体３０の嵌合穴７に嵌合爪１が完全に嵌合していない状態でユーザが電池カバー５０を押下したとしても、面取り形状４が掛止部７ａに対して摺動することによって、操作部側筐体３０へのストレスを軽減している。従って、操作部側筐体３０の破損（例えば、掛止部７ａの破損）を防止することができる。
【００５８】
また、本実施の形態では、電池カバー５０の嵌合爪１が電池収納部５１の嵌合穴７に正しく嵌め込まれた状態で、電池カバー５０を電池収納部５１から引き剥がす方向に力が加わったとしても、嵌合爪１の破損を防止できる。図１４は、電池カバー５０を電池収納部５１から引き剥がす方向に力が加わった状態の例を示す説明図である。例えば、ユーザが過って携帯電話機１００を落としてしまった場合に、電池カバー５０を電池収納部５１から引き剥がす方向に力が加わることがある。本実施の形態では、嵌合爪１に強度を補強するための補強リブ３が設けられているので、携帯電話機１００の落下等によって電池カバー５０を引き剥がす力が加わったとしても、嵌合爪１の破損を防止することができる。
【００５９】
また、嵌合爪１の強度をさらに補強するために、嵌合爪１に設ける補強リブ３をさらに大型化することが考えられる。この場合、補強リブ３を大型化することによって、嵌合爪１を嵌合穴７に嵌め込もうとすると、補強リブ３が操作部側筐体３０と干渉（例えば、掛止部７ａと干渉）していしまい、嵌合爪１を嵌合穴７に完全に嵌め込めない可能性がある。そこで、補強リブ３を大型化する場合、操作部側筐体３０の掛止部７ａに、補強リブ３と操作部側筐体３０との干渉を避けるための溝であるガイド溝８を設けるようにしてもよい。
【００６０】
図１５は、操作部側筐体３０にガイド溝８を設けた場合の例を示す説明図である。図１５に示す例では、掛止部７ａのうち、嵌合爪１を嵌合穴７に嵌め込んだ状態で補強リブ３と干渉する部分にガイド溝８が形成されている。そのように構成することによって、嵌合爪１を嵌合穴７に嵌め込んだ状態で、補強リブ３をガイド溝８に嵌め込むようにすることができ、補強リブ３と操作部側筐体３０とが干渉することを防止することができる。また、補強リブ３と操作部側筐体３０とが干渉することを防止できるので、補強リブ３を大型化することができ、嵌合部の強度をさらに向上させることができる。
【産業上の利用可能性】
【００６１】
本発明は、携帯電話機等の携帯電子機器の電池収納部に電池カバーを取り付ける用途に適用できる。
【図面の簡単な説明】
【００６２】
【図１】本発明による電池カバー取付構造を備えた携帯電子機器の一例を示す斜視図である。
【図２】携帯電話機の構成の例を示すブロック図である。
【図３】電池カバーの構造を示す斜視図である。
【図４】電池カバーの構造を示す斜視図である。
【図５】電池カバーのうち、各嵌合爪を含む部分を拡大して示した説明図である。
【図６】嵌合爪のうちの１つを拡大して示した説明図である。
【図７】電池カバーの嵌合爪を含む部分を、電池カバーの長手方向に平行な面で切断した断面図である。
【図８】従来の携帯電子機器が備える電池カバーの嵌合爪を含む部分を、電池カバーの長手方向に平行な面で切断した断面図である。
【図９】操作部側筐体の電池収納部の構造を示す斜視図である。
【図１０】操作部側筐体の電池収納部の嵌合穴を含む部分を、操作部側筐体の長手方向に平行な面で切断した断面図である。
【図１１】電池収納部に電池カバーを取り付ける取付手順を示す説明図である。
【図１２】従来の携帯電子機器において、電池カバーを電池収納部に取り付けた場合の取付状況の例を示す断面図である。
【図１３】電池カバーが電池収納部に正しく嵌め込まれなかった場合の取付状況の例を示す断面図である。
【図１４】電池カバーを電池収納部から引き剥がす方向に力が加わった状態の例を示す説明図である。
【図１５】操作部側筐体にガイド溝を設けた場合の例を示す説明図である。
【符号の説明】
【００６３】
１  嵌合爪
１ａ  突起部
２  フック
３  補強リブ
４  面取り形状部
５  メイン嵌合穴
６  キャッチ
７  嵌合穴
７ａ  掛止部
８  ガイド溝
９  メイン嵌合爪
１０  表示部側筐体
１１  ヒンジ部
２０  表示部
３０  操作部側筐体
４０  操作部
５０  電池カバー
５１  電池収納部
１００  携帯電話機
【図１】
2007213870.tif 000003
【図２】
2007213870.tif 000004
【図３】
2007213870.tif 000005
【図４】
2007213870.tif 000006
【図５】
2007213870.tif 000007
【図６】
2007213870.tif 000008
【図７】
2007213870.tif 000009
【図８】
2007213870.tif 000010
【図９】
2007213870.tif 000011
【図１０】
2007213870.tif 000012
【図１１】
2007213870.tif 000013
【図１２】
2007213870.tif 000014
【図１３】
2007213870.tif 000015
【図１４】
2007213870.tif 000016
【図１５】
2007213870.tif 000017